(57)【要約】本発明は、掃除機用の吸込アタッチメント（９）に関する。吸込アタッチメントは、角部分で角度αを作る２つのエッジ（４３、４５）をもつハウジング（１１）を有する。一次吸込口（５５、５９）は、２つのエッジの各々に沿って吸込アタッチメントの底部（５７）に延在する。これらの一次吸込口は、掃除機の吸込ユニット（７）に結合されることが可能な接続チャネル（２１）に接続される。一次吸込口は、前記角部分の近傍の二次吸込口（６１）に通じている。本発明によれば、吸込アタッチメント（９）は、少なくとも２つの吸込部（３５、３７）を有し、前記２つのエッジ（４３、４５）、前記２つの一次吸込口（５５、５９）及び前記二次吸込口（６１）が、吸込部のうち第１のもの（３５）に設けられ、吸込部のうち少なくとも第２のもの（３７）が、接続チャネル（２１）から遮断されることが可能な吸込口（６７、６９、７１）を備える。接続チャネルから前記第２の吸込部の吸込口を遮断することによって、吸込ユニット（７）の吸込パワーは、第１の吸込部の吸込口に部分的に又は完全に集中される。その結果、かなり高い吸込パワーが、二次吸込口（７１）が位置する第１の吸込部の角部分において得られる。こうして、前記角部分は、掃除されるべき表面（５）の狭い面積又は角においてかなり高い掃除性能が達成されることを可能にする。好ましい実施例において、吸込アタッチメント（９）は、協働して、足部（３９）を形成する２つの吸込部（３５、３７）を有する。この足部は、吸込アタッチメントの中心部（３１）を軸として回転可能である。両方の吸込部は、掃除されるべき表面（５）の狭い面積又は角を掃除するために二次吸込口（６１、７１）をもつ角部分を有する。吸込ユニット（７）の吸込パワーは、中心部を軸として第１の位置から＋９０゜及び−９０゜のそれぞれにわたって足部を回転させることにより、２つの吸込部の各々に集中されることができる。
2004513696.tif 000002
【特許請求の範囲】
【請求項１】
角を作る２つのエッジをもつハウジングを有する掃除機用の吸込アタッチメントであって、前記２つのエッジの各々に沿って前記吸込アタッチメントの底部に一次吸込口が延在し、前記一次吸込口が、前記掃除機の吸込ユニットに結合されうる接続チャネルに接続され、前記一次吸込口が前記角の近傍の二次吸込口に通じる、吸込アタッチメントであって、前記吸込アタッチメントが少なくとも２つの吸込部を有し、前記２つのエッジ、２つの前記一次吸込口及び前記二次吸込口が、前記吸込部のうち第１のものに設けられ、前記吸込部のうち少なくとも第２のものが、前記接続チャネルから遮断されうる吸込口を有することを特徴とする吸込アタッチメント。
【請求項２】
前記接続チャネルが、前記吸込アタッチメントの中心部の一部を形成し、前記２つの吸込部が、仮想平面に対し実質的に垂直に延在する回転軸を中心として前記中心部に対し回転されることができる足部を形成し、前記吸込アタッチメントが、動作中、前記仮想平面に関して掃除されるべき表面上にあり、前記第２の吸込部の前記吸込口が、前記回転軸を中心とする前記足部の回転運動によって前記接続チャネルから遮断されることができることを特徴とする、請求項１に記載の吸込アタッチメント。
【請求項３】
前記２つの吸込部が同一であり、前記第１の吸込部の前記吸込口及び前記第２の吸込部の前記吸込口が、前記回転軸を中心とする第１の位置から第２の位置及び第３の位置への前記足部の回転運動によってそれぞれ前記接続チャネルから遮断されることができることを特徴とする、請求項２に記載の吸込アタッチメント。
【請求項４】
前記第１の位置において、前記２つの吸込部が、前記吸込アタッチメントの移動方向に垂直な幅方向に見て前記中心部の両側にあり、前記２つの吸込部の前記二次吸込口をもつ前記角が、前記幅方向に見て前記足部の端部を形成し、前記足部が、前記第２の位置及び前記第３の位置において、前記第１の位置に関し＋９０゜及び−９０゜の角度にわたって回転されている、請求項３に記載の吸込アタッチメント。
【請求項５】
前記中心部が、前記回転軸に関して同心に配される実質的に半円筒形の遮断部材と、前記接続チャネルが通じる接続ダクトとを備え、前記接続ダクトが、前記移動方向に平行な方向に見て前記遮断部材と隣り合って配されるとともに前記幅方向に平行に延在し、前記第１の位置では、前記接続ダクトが、前記２つの吸込部の前記一次吸込口及び前記接続チャネルを互いに接続し、前記第２の位置では、前記接続ダクトが、前記第２の吸込部の前記一次吸込口及び前記接続チャネルを互いに接続し、前記遮断部材が、前記第１の吸込部の前記一次吸込口を前記接続チャネルから遮断し、前記第３の位置では、前記接続ダクトが、前記第１の吸込部の前記一次吸込口及び前記接続チャネルを互いに接続し、前記遮断部材が、前記第２の吸込部の前記一次吸込口を前記接続チャネルから遮断することを特徴とする、請求項４に記載の吸込アタッチメント。
【請求項６】
各吸込部の前記２つのエッジが協働してかなり小さい鋭角を作り、前記第１の吸込部の前記エッジ及び前記第２の吸込部の前記エッジが協働してかなり大きい鈍角を作ることを特徴とする、請求項４に記載の吸込アタッチメント。
【請求項７】
電気的な吸込ユニットを収容するハウジングと、吸込チャネルを通して前記吸込ユニットに結合されうる吸込アタッチメントとを有し、前記吸込アタッチメントが、角を作る２つのエッジをもつハウジングを備え、前記２つのエッジの各々に沿って前記吸込アタッチメントの底部に一次吸込口が延在し、前記一次吸込口が前記吸込チャネルに結合されうる接続チャネルに接続され、前記一次吸込口が前記角の近傍の二次吸込口に通じる、掃除機であって、前記吸込アタッチメントが、請求項１、２、３、４、５又は６に記載の吸込アタッチメントであることを特徴とする掃除機。
【発明の詳細な説明】
【発明の属する技術分野】
本発明は、角を作る２つのエッジをもつハウジングを有する掃除機用の吸込アタッチメントであって、前記２つのエッジの各々に沿って前記吸込アタッチメントの底部に一次吸込口が延在し、前記一次吸込口が、掃除機の吸込ユニットに結合されうる接続チャネルに接続され、前記一次吸込口が、前記角の近傍の二次吸込口に通じる、吸込アタッチメントに関する。
本発明は、電気的な吸込ユニットを収容するハウジングと、吸込チャネルを通して吸込ユニットに結合されうる吸込アタッチメントとを有する掃除機であって、前記吸込アタッチメントが、角を作る２つのエッジをもつハウジングを備え、前記２つのエッジの各々に沿って前記吸込アタッチメントの底部に一次吸込口が延在し、前記一次吸込口が、吸込チャネルに結合されうる接続チャネルに接続され、前記一次吸込口が、角の近傍の二次吸込口に通じる、掃除機に関する。
【従来の技術】
冒頭の段落に述べたタイプの吸込アタッチメント及び掃除機は、欧州特許出願公開ＥＰ−Ａ−０ ９３０ ０４１から知られている。既知の吸込アタッチメントは、三角形のハウジングを有する。２つのエッジは、約９０度の角度を作る吸込アタッチメントの２つの前方エッジである。その結果、ハウジングは、吸込アタッチメントの移動方向に見て前方に向いた先端部を有する。前方エッジに沿って延在する一次吸込口は、チャネル形であり、管状の結合部材を有する接続チャネルに接続されている。吸込アタッチメントは、この管状結合部材により掃除機の吸込チューブに結合されうる。一次吸込口は、ハウジングの先端部で交わり、この場所で、ハウジングの先端部に形成された二次吸込口に通じている。動作中、吸込アタッチメントが床面積上で移動方向に動かされ、一次吸込口が、かなり大きい床面積を掃除するために使用される。二次吸込口は、狭い面積及び角を掃除するために使用される。二次吸込口はハウジングの先端部に設けられており、前方エッジにより作られる角度は約９０゜であるので、特に角には二次吸込口によって容易に達することができる。
【発明が解決しようとする課題】
既知の吸込アタッチメント及び既知の掃除機の欠点は、吸込アタッチメントの全吸込パワーが一次吸込口及び二次吸込口にわたって分散されることにある。その結果、二次吸込口の近傍の吸込パワーはかなり小さく、そのため既知の吸込アタッチメントの掃除効果は、狭い面積及び角において制限されてしまう。
本発明の目的は、吸込アタッチメントの全吸込パワーは既知の吸込アタッチメントの全吸込パワーに相当するが、二次吸込口の近傍でより大きい吸込パワーが得られる、冒頭の段落で述べたタイプの吸込アタッチメント及び掃除機を提供することである。
【課題を解決するための手段】
上述した目的を達成するため、本発明による吸込アタッチメントは、吸込アタッチメントが少なくとも２つの吸込部を有し、前記２つのエッジ、２つの前記一次吸込口及び前記二次吸込口が、前記吸込部のうち第１のものに設けられ、前記吸込部のうち少なくとも第２のものが、接続チャネルから遮断されることができる吸込口を有することを特徴とする。
上述した目的を達成するため、本発明による掃除機は、用いられる吸込アタッチメントが本発明による吸込アタッチメントであることを特徴とする。
本発明による吸込アタッチメントに関して、前記吸込部及びそこに存在する吸込口の総寸法が、例えば前述した吸込アタッチメントのような通常の吸込アタッチメントの寸法に相当し、そこに存在する吸込口の寸法に相当する。本発明による吸込アタッチメントでは、全吸込パワーは、前記吸込部に分散される。少なくとも第２の吸込部の吸込口は、接続チャネルから遮断されることができるので、全体的な吸込パワーが、第１の吸込部に部分的に又は完全に集中されることができる。第１の吸込部並びにそこに存在する一次及び二次吸込口の寸法は、前記吸込部及びそこに存在する吸込口の総寸法よりかなり小さいので、吸込パワーは、第１の吸込部の一次及び二次吸込口の近傍で達成される。全吸込パワーが第１の吸込部に集中される場合の吸込パワーは、吸込パワー全体が全ての吸込部に分散される場合にこれらの吸込口の近傍で達成される吸込パワーよりも大きい。このように、増加された吸込パワーは、二次吸込口の近傍でも達成され、これにより狭い面積及び角における二次吸込口の利用がより高い掃除効果をもたらす。
本発明による吸込アタッチメントの或る実施例は、接続チャネルが、吸込アタッチメントの中心部の一部を形成し、２つの吸込部が、仮想平面に対し実質的に垂直に延在する回転軸を中心として上記の中心部に対し回転されうる足部を形成し、動作中、吸込アタッチメントが、前記仮想平面に関して掃除されるべき表面上にあり、第２の吸込部の吸込口が、前記回転軸を中心とする足部の回転運動によって接続チャネルから遮断されることができることを特徴とする。第２の吸込部の吸込口は、前記回転軸を中心とする足部の回転運動によって接続チャネルから遮断されることができるので、吸込パワーは、ユーザのかなり単純な動作によって第１の吸込部に集中されることができる。前記足部はかなり大きい寸法をもち、これにより、足部を回転させるために必要な機械的トルクは、足部にかなり小さい力を作用させることによって達成される。前記回転軸が、前記仮想平面に実質的に垂直に延在するので、足部が前記回転軸を中心として回転されるとき、吸込アタッチメントが中心部によって掃除機に結合されうるその中心部の向きが、掃除されるべき表面に関して実質的に変化しないことが達成される。これらの方策によって、吸込アタッチメントの使い易さがかなり高まる。
本発明による吸込アタッチメントの他の実施例は、２つの吸込部が同一であり、第１の吸込部の吸込口及び第２の吸込部の吸込口が、前記回転軸を中心として第１の位置から第２の位置及び第３の位置に足部を回転運動させることによりそれぞれ接続チャネルから遮断されることができることを特徴とする。この他の実施例では、吸込アタッチメントの両方の吸込部が、２つのエッジにより作られる角の近傍で二次吸込口に通じる一次吸込口を有する。第２の位置への足部の回転運動は、第１の吸込部の吸込口を接続チャネルから遮断させ、この結果として、吸込パワーが、第２の吸込部の一次及び二次吸込口に集中される。足部の第３の位置への回転運動は、第２の吸込部の吸込口を接続チャネルから遮断させ、この結果として吸込パワーが、第１の吸込部の一次及び二次吸込口に集中される。これらの理由により、吸込アタッチメントは多くの応用例をもつ。
本発明による吸込アタッチメントの更に別の実施例は、第１の位置において、２つの吸込部が、吸込アタッチメントの移動方向に対して垂直な幅方向に見て中心部の両側にあり、２つの吸込部の二次吸込口をもつ前記角が、幅方向に見て足部の端部を形成し、足部が、第２の位置及び第３の位置において、第１の位置に対し＋９０゜及び−９０゜の角度にわたり回転させられることを特徴とする。２つの角は、幅方向に見て足部の端部を形成するので、足部は、第２の位置及び第３の位置において、第１の位置に対しそれぞれ＋９０゜及び−９０゜の角度にわたり回転させられ、第２の位置では、吸込パワーが第２の吸込部に集中され、第２の吸込部の二次吸込口をもつ角が、移動方向に見て前方に向き、第３の位置では、吸込パワーが第１の吸込部に集中され、第１の吸込部の二次吸込口をもつ角が移動方向に見て前方に向く。これらの理由により、吸込部のうちの１つに集中される吸込パワーを使用するとともに、吸込アタッチメントを狭い面積又は角の方へ通常の移動方向に移動させることにより、掃除されるべき狭い面積又は角に達することができる。こうして、吸込アタッチメントの使い易さが一層改善される。
本発明による吸込アタッチメントの特定の実施例は、中心部が、回転軸に関して同心に配置される実質的に半円筒形の遮断部材と、接続チャネルが通じる接続ダクトとを備え、接続ダクトは、移動方向と平行な方向に見て遮断部材の隣に配置されるとともに幅方向と平行に延在し、接続ダクトは、第１の位置では、２つの吸込部の一次吸込口及び接続チャネルを互いに接続し、第２の位置では、接続ダクトは、第２の吸込部の一次吸込口及び接続チャネルを互いに接続し、遮断部材は、第１の吸込部の一次吸込口を接続チャネルから遮断し、第３の位置では、接続ダクトは、第１の吸込部の一次吸込口及び接続チャネルを互いに接続し、遮断部材は、接続チャネルから第２の吸込部の一次吸込口を遮断することを特徴とする。前記の実質的に半円筒形の遮断部材及び前記接続ダクトを使用することによって、２つの吸込部は、構造上の見地から実際的且つ簡単な方法で、回転軸を中心とした足部の回転運動によって接続チャネルから遮断され又はそこに接続されることができる。
本発明による吸込アタッチメントの他の実施例は、各吸込部の２つのエッジが協働してかなり小さい鋭角を作り、第１の吸込部のエッジ及び第２の吸込部のエッジが協働してかなり大きい鈍角を作ることを特徴とする。各吸込部の２つのエッジは協働してかなり小さい鋭角を作るので、吸込アタッチメントは、角のうちの１つに集中される吸込パワーにより、狭い面積を掃除するために特に適切に使用されることができる。第１の吸込部のエッジ及び第２の吸込部のエッジは協働してかなり大きい鈍角を作るので、第１及び第２の吸込部の隣接するエッジは、直線的な壁部又は幅木に沿って掃除するために、足部の第１の位置において特に適切に使用されることができる。
本発明のこれら及び他の見地は、以下に説明する（複数の）実施例を参照して明らかになるであろう。
【発明の実施の形態】
図１に図示するような本発明による掃除機はいわゆるシリンダ掃除機である。この掃除機は、掃除されるべき表面５上を複数の車輪３によって動かされることができるハウジング１を有する。ハウジング１は電気的な吸込ユニット７を収容し、これは図１に概略的に示されるだけである。掃除機は更に、ハウジング１１を備える本発明による吸込アタッチメント９を有する。図１に示される動作位置において、吸込アタッチメントは、仮想底面１３の場所で、掃除されるべき表面５上にあり、吸込アタッチメント９は、掃除されるべき表面５上をユーザによって移動方向Ｘに動かされなければならない。吸込アタッチメント９は、吸込チャネル１５を通して着脱可能に掃除機のハウジング１に結合されている。吸込チャネル１５は、金属吸込チューブ１７及び可撓性吸込ホース１９を有する。吸込アタッチメント９は管状の接続チャネル２１を有し、吸込アタッチメント９は、この接続チャネル２１により吸込チューブ１７に着脱可能に結合される。吸込チューブ１７は、吸込ホース１９に取り付けられた管状のハンドル２３に着脱可能に結合され、吸込ホース１９は、掃除機のハウジング１の入力部２５に着脱可能に結合される。入力部２５は、ハウジング１の集塵室２７に通じており、集塵室２７は、フィルタ２９を通して吸込ユニット７に接続される。動作中、吸込ユニット７は、集塵室２７及び吸込チャネル１５を通して吸込アタッチメント９に負圧を生成し、この影響の下、掃除されるべき表面５にある塵及びほこりの粒子が、以下に説明するように吸込口を通して吸込アタッチメント９に引き込まれ、吸込チャネル１５を通して集塵器２７に引き込まれる。それらの粒子は、集塵室２７において交換可能なダストバッグに集められる。
本発明による吸込アタッチメント９は図２に詳細に示されている。吸込アタッチメント９は、接続チャネル２１を有する中心部３１を備える。中心部３１は更に、実質的に円筒の部分３３を有する。吸込アタッチメント９は更に、第１の吸込部３５及び実質的に同一の第２の吸込部３７を有する。２つの吸込部３５及び３７は、協働して、移動方向Ｘ及び仮想底面１３に対し実質的に垂直に延在する回転軸４１を中心として円筒部３３に対し回転可能であるようにジャーナル接続された足部３９を形成する。第１の吸込部３５は、かなり小さい鋭角αを作る前方エッジ４３及び後方エッジ４５を有し、第２の吸込部３７は、実質的に同一の角度αを作る前方エッジ４７及び後方エッジ４９を有する。第１の吸込部３５の前方エッジ４３及び第２の吸込部３７の前方エッジ４７は、かなり大きい鋭角βを作り、第１の吸込部３５の後方エッジ４５及び第２の吸込部３７の後方エッジ４９は同じ角度βを作る。図示する例では、角度αは約３０゜であり、角度βは約１５０゜である。その結果、足部３９は、実質的にダイヤモンド形であり、双方の角度αを通って延びる第１の対称軸５１に関して実質的に対称であり、２つの角度βを通って延びる第２の対称軸５３に関して実質的に対称である。図２は、中心部３１に関して第１の位置における足部３９を示しており、２つの吸込部３５及び３７は、移動方向Ｘ及び回転軸４１に対し垂直な幅方向Ｙに見て、中心部３１の両側に位置し、２つの角度αは、幅方向Ｙに見て足部３９の端部を形成する。
図３Ａは、吸込アタッチメント９の底面図であり、足部３９が中心部３１に対して上述した第１の位置にある。図３Ａに示すように、第１の吸込部３５は、足部３９の底部５７において前方エッジ４３に沿って延在する第１のチャネル形の一次吸込口５５と、底部５７の後方壁４５に沿って延在する第２のチャネル形の一次吸込口５９と、を有する。一次吸込口５５及び５９は、第１の吸込部３５の角の近傍で交わり、そこで２つの一次吸込口５５及び５９は、第１の吸込部３５の二次吸込口６１に通じている。二次吸込口は、第１の吸込部３５の側方のエッジ６３まで延び、この側方のエッジ６３は、前方エッジ４３及び後方エッジ４５を互いに接続している。中心部３１の近傍では、２つの一次吸込口５５及び５９が、底部５７に設けられた横方向チャネル６５により互いに接続されている。同様に、第２の吸込部３７は、底部５７において前方エッジ４７に沿って延在する第１のチャネル形の一次吸込口６７と、底部５７において後方エッジ４９に沿って延在する第２のチャネル形の一次吸込口６９とを有する。一次吸込口６７及び６９は、第２の吸込部３７の角の近傍で交わり、そこで２つの一次吸込口６７及び６９は、第２の吸込部３７の二次吸込口７１に通じている。二次吸込口は、第２の吸込部３７の側方のエッジ７３まで延び、この側方のエッジ７３は、前方エッジ４７及び後方エッジ４９を互いに接続する。中心部３１の近傍では、２つの一次吸込口６７及び６９が、底部５７に設けられた横方向チャネル７５により相互接続される。図３Ａ及び図４に示すように、回転軸４１に対して同心に配置されるとともに実質的に仮想底面１３まで延びる実質的に半円筒形の遮断部材７７と、幅方向Ｙと平行に延在し、接続チャネル２１が通じている開口部８１を有する接続ダクト７９と、実質的に仮想底面１３まで延びるかなり狭いダム部８３とが、移動方向Ｘと平行な方向に見て、中心部３１の円筒部３３に互いに隣り合って配置されている。
図３Ａに示すような中心部３１に関する足部３９の第１の位置では、接続ダクト７９は、第１の吸込部３５の一次吸込口５５、５９及び第２の吸込部３７の一次吸込口６７、６９の双方を開口部８１を通して接続チャネル２１に接続し、これにより吸込ユニット７の全吸込パワーが、第１の吸込部３５の一次及び二次吸込口５５、５９、６１と、第２の吸込部３７の一次及び二次吸込口６７、６９、７１とに分散される。足部３９の第１の位置では、２つの吸込部３５、３７は、幅方向Ｙに見て中心部３１の両側に位置し、全吸込パワーは２つの吸込部３５、３７に分散される。吸込アタッチメント９は、この位置において、移動方向Ｘに吸込アタッチメント９を移動させることによってかなり大きい床面積を掃除するのに適している。図３Ｂは、中心部３１に関する足部３９の第２の位置を示している。足部３９は、図３Ａに示される第１の位置から、回転軸４１を中心に９０゜の角度にわたってユーザにより回転させられている。この第２の位置では、図３Ｂに示すように、第２の吸込部３７の一次吸込口６７、６９及び二次吸込口７１のみが、接続ダクト７９及び開口部８１を通して接続チャネル２１に接続されている。この第２の位置では、第１の吸込部３５の一次吸込口５５、５９及び二次吸込口６１は、半円筒形の遮断部材７７により接続ダクト７９及び接続チャネル２１から遮断される。こうして、吸込ユニット７の全吸込パワーは、第２の吸込部３７に集中され、この吸込部３７の一次吸込口６７、６９及び二次吸込口７１にもっぱら分散される。足部３９の第２の位置では、第２の吸込部３７の角は、移動方向Ｘに見て前方に向き、これにより、この位置において吸込アタッチメント９は、通常の移動方向Ｘへの吸込アタッチメント９の移動により、狭い面積又は角を掃除するために適切に使用されることができる。全吸込パワーが第２の吸込部３７で集中されるので、一次吸込口６７、６９の近傍及び二次吸込口７１の近傍に生じる吸込パワーは、足部３９の第１の位置においてこれらの吸込口６７、６９、７１の近傍に生じる吸込パワーより非常に大きい。この結果として、吸込アタッチメント９は、特に吸込アタッチメント９にとって部分的にのみアクセス可能である角及び狭い面積においてかなり高い掃除効果をもつ。ユーザは、足部３９の大きい寸法を考慮するとほとんど努力を必要としないかなり単純なやり方で、回転軸４１を中心に足部３９を回転させることができる。回転軸４１は仮想底面１３に対し垂直に延在するので、足部３９が回転されるとき、中心部３１及び接続チャネル２１の向きは、掃除される表面５に関してほとんど変化せず、これにより吸込チューブ１７の位置もまた実質的に変化しないままである。これらの特性により、吸込アタッチメント９は使用するのが非常に簡単である。前方エッジ４７及び後方エッジ４９により作られる角度αはかなり小さいので、吸込アタッチメント９は、足部３９の第２の位置において、かなり狭い面積を掃除するために特に適切に使用されることができる。２つの前方エッジ４３及び４７により作られる角度βはかなり大きいので、隣り合う前方エッジ４３及び４７は、足部３９の第１の位置において、垂直的な壁部又は幅木を掃除するために��に適切に使用されることができる。
中心部３１に対する足部３９の上述した第１の位置及び第２の位置は、図５Ａ及び図５Ｂに図示されている。足部３９は更に、ユーザによって、図５Ａに示される第１の位置から、図５Ｃに図示される第３の位置へ回転軸４１を中心として−９０゜の角度にわたって回転され、また、図５Ｄに図示される第４の位置へ回転軸４１を中心として１８０゜の角度にわたって回転されることができる。図３Ａ及び図３Ｂから導くことができるように、足部３９の第３の位置では、第１の吸込部３５の一次吸込口５５、５９及び二次吸込口６１のみが、接続ダクト７９及び開口部８１を通して接続チャネル２１に接続される。第２の吸込部３７の一次吸込口６７、６９及び二次吸込口７１は、第３の位置において、半円筒形の遮断部材７７により接続ダクト７９及び接続チャネル２１から遮断される。こうして、吸込ユニット７の全吸込パワーは、足部３９の第３の位置において、第１の吸込部３７に集中され、第１の吸込部３５の一次吸込口５５、５９及び二次吸込口６１に分散される。足部３９の第３の位置では、第１の吸込部３５の角が移動方向Ｘに見て前方に向いており、これにより第１の位置と同様にこの位置でも、吸込アタッチメント９は、通常の移動方向Ｘに吸込アタッチメント９を動かすことにより、集中された吸込パワーによって、狭い面積又は角を掃除するのに適切に使用されることができる。更に図３Ａ及び図３Ｂから導くことができるように、足部３９の第４の位置において、接続ダクト７９は、第１の吸込部３５の一次吸込口５５、５９及び第２の吸込部３７の一次吸込口６７、６９の双方を開口部８１を通して接続チャネル２１に接続し、吸込ユニット７の全吸込パワーは、第１の吸込部３５の一次及び二次吸込口５５、５９、６１並びに第２の吸込部３７の一次及び二次吸込口６７、６９、７１に分散される。このように、足部３９の第１の位置と同様に足部３９の第４の位置においても、吸込アタッチメント９は、通常の移動方向Ｘに吸込アタッチメント９を移動させることによりかなり大きい床面積を掃除するために適切に使用されることができる。足部３９は、第１の位置から、吸込パワーが吸込部３５、３７において集中され且つ通常の移動方向Ｘに見て前方に向く位置まで、＋９０゜の角度及び−９０゜の角度にわたって回転されうるので、吸込アタッチメント９の使い易さと同様に利用可能性が一層高まる。
図３Ａに示すように、吸込アタッチメント９は更に、図示した実施例において、４つのブラシ８５、８７、８９及び９１を有する。これらのブラシ８５、８７、８９及び９１は、前方エッジ４３と一次吸込口５５との間、後方エッジ４５と一次吸込口５９との間、前方エッジ４７と一次吸込口６７との間、後方エッジ４９と一次吸込口６９との間の底部５７にそれぞれ設けられる。ブラシ８５、８７、８９及び９１は、図には詳細に示していないがリフティング機構に設けられている。リフティング機構は、図５Ａ及び図５Ｂに示される足部３９の第１及び第２の位置において底部５７にブラシ８５、８７、８９及び９１がへこみ、図５Ｃ及び図５Ｄに示される足部の第３及び第４の位置において底部５７から突き出すような態様で、円筒部３３と協力する。前記の協力を示すために、ブラシ８５、８７、８９及び９１は図５Ｃ及び図５Ｄにのみ破線で表わされている。このように、足部３９の第１及び第２の位置において、吸込アタッチメント９は、カーペットを掃除するために適切に使用されることができ、足部３９の第３及び第４の位置において、滑らかな床を掃除するために適切に使用されることができる。吸込アタッチメント９は、好適にはロック解除ボタンを有するロック機構を備え、このロック解除ボタンによって、足部３９は、４つの位置のそれぞれにおいてロックされ及びロック解除されることができることに注意されたい。
上述したような本発明による掃除機はシリンダ掃除機である。本発明は、いわゆる縦型掃除機のような他の種類の掃除機も含むことに注意されたい。このような縦型掃除機において、吸込アタッチメントは、例えば掃除機のハウジングに旋回可能に結合され、このような掃除機のハウジングは、動作位置において実質的に直立した位置にある。
本発明は更に、２よりも多くの吸込部を有する吸込アタッチメントも含むことに注意されたい。本発明は、各々が二次吸込口をもつ角を有する吸込部を具える吸込アタッチメント、及び吸込部のうちのただ１つが又はすべての吸込部ではないがあるものが二次吸込口をもつ角を有する該吸込部を具える吸込アタッチメントを含む。全てのこれらの実施例において、吸込パワーは、他の吸込部又は少なくとも１つの他の吸込部の１つ又は複数の吸込口を閉じることによって、二次吸込口をもつ角を備える少なくとも１つの吸込部に完全に又は部分的に集中されることができる。
更に、本発明は、第１の吸込部の２つのエッジに沿って存在する一次吸込口が１つの一次吸込口を形成するようにまとめられた吸込アタッチメント、又は２より多くの一次吸込口が第１の吸込部に設けられている吸込アタッチメントも含むことに注意されたい。
最後に、本発明は、吸込アタッチメントの中心部を軸として吸込部が回転されること以外の別の態様で吸込部のうちの少なくとも１つが遮断されることができるように具体化される吸込アタッチメントを含むことに注意されたい。例えば、本発明は、吸込部が接続チャネルに対し固定された位置に配置される実施例、及び吸込部のうちの少なくとも１つが、例えばボタンによりユーザによって操作されることができる弁又は別の遮断機構を用いて接続チャネルから遮断されることができる実施例も含むことに注意されたい。
【図面の簡単な説明】
【図１】本発明による掃除機を示す概略図。
【図２】図１に示される掃除機に使用される、本発明による吸込アタッチメントを示す図。
【図３Ａ】吸込アタッチメントの回転可能な足部の第１の位置における図２に示す吸込アタッチメントの底面図。
【図３Ｂ】回転可能な足部の第２の位置における図２に示す吸込アタッチメントの底面図。
【図４】図３ＡのラインＩＶ−ＩＶで切り取られた断面図。
【図５Ａ】回転可能な足部の４つの異なる位置の１つにおける図２に示す吸込アタッチメントを示す概略図。
【図５Ｂ】回転可能な足部の４つの異なる位置の他の１つにおける図２に示す吸込アタッチメントを示す概略図。
【図５Ｃ】回転可能な足部の４つの異なる位置の他の１つにおける図２に示す吸込アタッチメントを示す概略図。
【図５Ｄ】回転可能な足部の４つの異なる位置の他の１つにおける図２に示す吸込アタッチメントを示す概略図。
【国際公開パンフレット】
2004513696.tif 000003
2004513696.tif 000004
2004513696.tif 000005
2004513696.tif 000006
2004513696.tif 000007
2004513696.tif 000008
2004513696.tif 000009
2004513696.tif 000010
2004513696.tif 000011
2004513696.tif 000012
2004513696.tif 000013
2004513696.tif 000014
2004513696.tif 000015
2004513696.tif 000016
2004513696.tif 000017
2004513696.tif 000018
2004513696.tif 000019
2004513696.tif 000020
2004513696.tif 000021
【国際公開パンフレット（コレクトバージョン）】
2004513696.tif 000022
【国際公開パンフレット（コレクトバージョン）】
2004513696.tif 000023
【国際調査報告】
2004513696.tif 000024
2004513696.tif 000025
2004513696.tif 000026
2004513696.tif 000027